(57)【要約】【課題】  空いている駐車スペースを遠くからでも分かるように表示することができる駐車空きスペースの表示装置を提供すること。【解決手段】  自走式駐車場で、各駐車スペース３に在車・空車を検出する在車検出センサ１１を設け、この在車検出センサ１１の検出結果を表示する在車・空車表示灯１３を各駐車スペース３の車両１より高い位置に支柱１２および水平アーム１４を介して設けるようにする。  これにより、在車・空車表示灯１３の表示で、どこからでも空車状態の駐車スペースを確認することができ、円滑に駐車することができるようになる。  また、案内人がいなくても運転者が空きスペースを見つけて駐車することができるようになる。【選択図】  図１
2005264434.tif 000002
【特許請求の範囲】
【請求項１】
車路とこの車路に沿って設けられた駐車スペースに運転者が車両を乗り入れて駐車をする自走式駐車場における駐車空スペースの表示装置であって、
各駐車スペースに在車・空車を検出する在車検出センサを設け、
この在車検出センサの検出結果を表示する在車・空車表示灯を前記各駐車スペースの車両より高い位置に設けたことを特徴とする駐車空スペースの表示装置。
【請求項２】
前記在車・空車検出センサおよび前記在車・空車表示灯にソーラー発電装置を設けて電力を供給可能に構成したことを特徴とする請求項１記載の駐車空スペースの表示装置。
【発明の詳細な説明】
【技術分野】
【０００１】
この発明は、自走式駐車場における駐車空スペースを表示する駐車空スペースの表示装置に関する。
【背景技術】
【０００２】
自走式駐車場は、図２に示すように、車両１が走行する車路２に沿って複数の駐車スペース３を設置してあり、地上に一平面として設置されたり、地上や地下などに複数平面として立体的に設置され、運転者が車両１を車路２を運転しながら空いた駐車スペース３を探して駐車するようになっている。
【０００３】
このような自走式駐車場では、運転車が円滑に駐車するには、どの駐車スペースが空車であるか在車であるかを知る必要があり、その方法の一つとして、ある区域について、区域内に空車の駐車スペースがあるか、その区域が満車であるかを表示するようにしたものがある。
【０００４】
ところが、ある区域内に空車の駐車スペースがあると表示された場合でも、どの駐車スペースが空いているか分からず、運転者は「空車の駐車スペースあり」と表示されている区域内を回って空いた駐車スペースを探さねばならず、必ずしも円滑に駐車することができない。
【０００５】
そこで、特許文献１の駐車場誘導装置では、車両に車載無線機を搭載する一方、駐車場の車路に沿って複数の駐車場無線機を設置するとともに、各駐車スペースに表示灯を設置しておき、車両からの無線で空車状態の駐車スペースを決定し、表示灯を点灯させることで、車両を誘導するようにしている。
【０００６】
また、特許文献２の駐車表示装置では、図２中に示すように、各駐車スペース３に投光器４を設置するとともに、この投光器４の光で発光する発光体５を車路２側に埋設しておき、在車状態では、駐車している車両１で投光器４からの光がさえぎられるようにし、車路２の入口で発光状態の発光体５があるかどうかによって空車状態の駐車スペース３の具体的な位置まで知ることができるようにしている。
【特許文献１】特開２００３−６７９５号公報
【特許文献２】特開２０００−２６５６９９号公報
【発明の開示】
【発明が解決しようとする課題】
【０００７】
ところが、無線で空車状態の駐車スペースに誘導する場合には、駐車場に複数の無線機を設置する必要があるとともに、各車両に無線機を搭載する必要があり、不特定多数のものが利用する駐車場に適用することができない。
【０００８】
一方、車路２に埋設した発光体５で空車状態の駐車スペース３を表示する場合には、駐車場の入口など空車状態の駐車スペースのあるところから離れた場所から表示を見ることができず、少なくとも車路２の入口まで行く必要があり、満車状態の場合には、駐車場の車路２を走行して発光している発光体５を探し回らなければならないという問題がある。また、発光体５を車路２に埋設して走行の邪魔にならないようにする必要があり、設置コストがかかるという問題もある。
【０００９】
この発明は、かかる従来技術の問題点に鑑みてなされたもので、空いている駐車スペースを遠くからでも分かるように表示することができる駐車空きスペースの表示装置を提供しようとするものである。
【課題を解決するための手段】
【００１０】
上記従来技術が有する課題を解決するため、この発明の請求項１記載の駐車空きスペースの表示装置は、 車路とこの車路に沿って設けられた駐車スペースに運転者が自動車を乗り入れて駐車をする自走式駐車場における駐車空スペースの表示装置であって、各駐車スペースに在車・空車を検出する在車検出センサを設け、この在車検出センサの検出結果を表示する在車・空車表示灯を前記各駐車スペースの車両より高い位置に設けたことを特徴とするものである。
【００１１】
この駐車空スペースの表示装置によれば、自走式駐車場で、各駐車スペースに在車・空車を検出する在車検出センサを設け、この在車検出センサの検出結果を表示する在車・空車表示灯を前記各駐車スペースの車両より高い位置に設けるようにしており、在車検出センサで各駐車スペースの在車状態と空車状態を検出し、その結果を各駐車スペースの車両より高い位置に設置した在車・空車表示灯で表示することで、どこからでも空車状態の駐車スペースを確認することができ、円滑に駐車することができるようになる。
【００１２】
これにより、案内人がいなくても運転者が空きスペースを見つけて駐車することができるようになる。
【００１３】
また、この発明の請求項２記載の駐車空きスペースの表示装置は、請求項１記載の構成に加え、前記在車・空車検出センサおよび前記在車・空車表示灯にソーラー発電装置を設けて電力を供給可能に構成したことを特徴とするものである。
【００１４】
この駐車空スペースの表示装置によれば、前記在車・空車検出センサおよび前記在車・空車表示灯にソーラー発電装置を設けて電力を供給可能に構成してあり、電源の確保が難しい場所でも簡単に設置することができ、特に既存の駐車場への適用が容易となる。
【発明の効果】
【００１５】
この発明の請求項１記載の駐車空きスペースの表示装置によれば、自走式駐車場で、各駐車スペースに在車・空車を検出する在車検出センサを設け、この在車検出センサの検出結果を表示する在車・空車表示灯を前記各駐車スペースの車両より高い位置に設けるようにしたので、在車検出センサで各駐車スペースの在車状態と空車状態を検出し、その結果を各駐車スペースの車両より高い位置に設置した在車・空車表示灯で表示することで、どこからでも空車状態の駐車スペースを確認することができ、円滑に駐車することができる。
【００１６】
これにより、案内人がいなくても運転者が空きスペースを見つけて駐車することができる。
【００１７】
また、この発明の請求項２記載の駐車空きスペースの表示装置によれば、前記在車・空車検出センサおよび前記在車・空車表示灯にソーラー発電装置を設けて電力を供給可能に構成したので、電源の確保が難しい場所でも簡単に設置して空車状態の駐車スペースを表示することができ、特に既存の駐車場への適用が一層容易となる。
【発明を実施するための最良の形態】
【００１８】
以下、この発明の一実施形態について、図面に基づき詳細に説明する。
【００１９】
図１は、この発明の駐車空スペースの表示装置の一実施の形態にかかる概略構成図である。
【００２０】
この駐車空スペースの表示装置１０では、自走式駐車場の車路２に沿って設置される各駐車スペース３に、各駐車スペース３に駐車される車両一台のみの在車・空車を検出できる在車検出センサ１１が駐車スペース３の後方の支柱１２に取り付けてある。
【００２１】
この在車検出センサ１１としては、例えば赤外線センサやレーザーセンサなどで構成され、反射光の有無などから駐車スペース３における車両１の在車状態あるいは空車状態を検出する。
【００２２】
また、この駐車空スペースの表示装置１０では、各駐車スペース３の上方の車両１より高い位置に在車検出センサ１１の検出結果を表示する在車・空車表示灯１３が支柱１２に取り付けて設置してあり、空車状態が検出された場合にコントローラなどの制御装置を介して点灯することで、この駐車スペース３に駐車が可能であることを表示するようにする。
【００２３】
この駐車空スペースの表示装置１０では、背中合せの４つの駐車スペース３に対して一本の支柱１２を立て、略H字状の水平アーム１４を支柱１２の上端部に取り付けて水平アーム１４の４つの先端部１４a〜１４dがそれぞれ各駐車スペース３の上方に位置するようにし、これら水平アーム１４の先端部１４a〜１４dに在車検出センサ１１と在車・空車表示灯１３がそれぞれ取り付けてある。
【００２４】
そして、これら在車・空車表示灯１３は、駐車場のどの場所からも確認できる高さに設置することが好ましく、地形や自走式駐車場の形式によっては、必ずしも同一高さの支柱１２を用いる必要はなく、区域毎などで高さを変えるように設置するなど特に駐車場入口から容易に確認できるようにすることが一層好ましい。
【００２５】
さらに、この駐車空スペースの表示装置１０では、在車検出センサ１１および在車・空車表示灯１３を動作させるために必要な電力をソーラー発電装置としてのソーラーパネル１５から供給するようにしてあり、支柱１２の上端部に設置してある。
【００２６】
なお、この場合には、夜間やソーラーパネル１５で得られる電力が不足する場合に備えて蓄電装置を付設することで、商用電源からの電力供給を全く不要とすることができる。
【００２７】
また、商用電源からの電力の供給が容易にできる場合には、これを利用するようにしても良く、ソーラーパネルと併設するようにしても良い。
【００２８】
このように構成した駐車空スペースの表示装置１０では、自走式駐車場が開業しているときは、常時動作させるようにすることで、駐車スペース３に車両１が駐車すると、在車検出センサ１１で在車が検出されて在車・空車表示灯１３が消灯状態となる一方、駐車スペース３が空車状態では、在車検出センサ１１で車両１が検出されず、在車・空車表示灯１３が点灯され、しかも支柱１２上の水平アーム１４の先端部で点灯することから、駐車場の入口など遠くから誰でも駐車可能な空車状態の駐車スペース３を確認することができ、円滑に駐車することができる。
【００２９】
また、電源としてソーラー発電装置を設置することで、電源のない駐車場でも容易に設置して空車状態の駐車スペースを表示することができる。
【００３０】
さらに、駐車スペース自体にセンサや表示灯を埋設する必要がなく、設置が容易であり、新設駐車場のみならず既存駐車場への適用も容易にできる。
【００３１】
なお、この駐車空スペースの表示装置とこれまでの区域毎に空スペースがあるか満車状態であるかを表示する表示装置と組み合わせるようにすることも可能であり、特に広大な一平面の駐車場や、複数平面の立体式駐車場では、空スペースのある区域を確認した後、本願表示装置で具体的な空車状態の駐車スペースを確認できるようにしても良い。
【図面の簡単な説明】
【００３２】
【図１】この発明の駐車空スペースの表示装置の一実施の形態にかかる概略構成図である。
【図２】この発明の駐車空スペースの表示装置が設置される自走式駐車場の概略説明図および従来の駐車表示装置の概略構成図である。
【符号の説明】
【００３３】
１           車両
２           車路
３           駐車スペース
１０        駐車空スペースの表示装置
１１        在車検出センサ
１２        支柱
１３        在車・空車表示灯
１４        水平アーム
１５        ソーラーパネル(ソーラー発電装置)  
【図１】
2005264434.tif 000003
【図２】
2005264434.tif 000004